(57)【特許請求の範囲】
【請求項１】
電線を支持体に留める電線留め具であって、
可撓性を有し板状に形成され、第１基部および前記第１基部の両側に連なる一対の第１開口形成部を含む第１板部と、
可撓性を有し板状に形成され、第２基部および前記第２基部からその両側に張り出して形成された一対の張出部を含む第２板部と、を備え、
前記第１基部は、第１電線における前記支持体の第１面に沿う部分を覆う部分であるとともに、前記第１電線と第２電線との間を仕切る部分であり、
前記第２基部は、前記第２電線における前記第１基部に沿う部分を覆う部分であり、
前記第１開口形成部各々は、前記張出部各々が通される第１開口が形成された部分であり、
前記張出部各々は、前記第１開口および前記支持体に形成された一対の第２開口の各々に通される部分であり、
前記張出部各々には、前記支持体の第２面における前記第２開口各々の縁部に引っ掛かる抜け止め部が形成されている、電線留め具。
【請求項２】
前記第１板部および前記第２板部が、折り返される第１連結部を介して繋がって形成されている、請求項１に記載の電線留め具。
【請求項３】
板状に形成され、第３基部および前記第３基部の両側に連なる一対の第３開口形成部を含む第３板部を備え、
前記第３基部は、前記第１電線における前記第１基部で覆われる部分と前記支持体との間を仕切る部分であり、
前記第３開口形成部各々は、前記張出部各々が通される第３開口が形成された部分であり、
前記張出部各々は、前記第１開口各々、前記第３開口各々および前記第２開口各々に通される部分である、請求項１または請求項２に記載の電線留め具。
【請求項４】
前記第１板部および前記第３板部が、折り返される第２連結部を介して繋がって形成されている、請求項３に記載の電線留め具。
【請求項５】
重ねられる複数の前記第１板部を備える、請求項１から請求項４のいずれか１項に記載の電線留め具。
【請求項６】
複数の前記第１板部は、折り返される第３連結部を介して繋がって形成されている、請求項５に記載の電線留め具。
【請求項７】
イメージセンサーと、
前記イメージセンサーの出力信号を伝送する第１電線と、
前記第１電線とは異なる第２電線と、
請求項１から請求項６のいずれか１項に記載の電線留め具と、を備える画像読取装置。
【請求項８】
前記第１電線がフラットケーブルである、請求項７に記載の画像読取装置。
【請求項９】
請求項７または請求項８に記載の画像読取装置と、
前記画像読取装置の前記イメージセンサーから出力される信号に基づく画像をシート材に形成する画像形成部と、を備える画像形成装置。
【発明の詳細な説明】
【技術分野】
【０００１】
本発明は、電線留め具、画像読取装置および画像形成装置に関する。
【背景技術】
【０００２】
一般に、画像読取装置において、電線の一部が、電線留め具を介して支持体に留められる。例えば、複数の電線を束ねる保持部材が板状部を有し、前記板状部の一部が支持体にネジで固定されることなどが知られている（例えば、特許文献１参照）。なお、前記保持部材は前記電線留め具の一例である。
【先行技術文献】
【特許文献】
【０００３】
【特許文献１】特開２００１−３３７３９９号公報
【発明の概要】
【発明が解決しようとする課題】
【０００４】
ところで、前記画像読取装置は、イメージセンサーの出力信号を伝送する画像伝送用の電線を備える。一般に、前記画像伝送用の電線として、ＦＦＣ（フレキシブルフラットケーブル）などのフラットケーブルが採用される。
【０００５】
前記画像伝送用の電線が、やむを得ず他の電線と並んで配線される場合がある。前記イメージセンサーから出力される高周波信号は、他の電線からのノイズの影響を受けやすい。従って、前記画像伝送用の電線は、他の電線と間隔を隔てて配線される必要がある。
【０００６】
一方、前記画像読取装置において、取り付けが容易で低コストの前記電線留め具が求められている。
【０００７】
本発明の目的は、複数の電線を間隔を隔てて支持体に留めることが容易であり、低コストの電線留め具およびそれを備える画像読取装置、並びに画像形成装置を提供することにある。
【課題を解決するための手段】
【０００８】
本発明の一の局面に係る電線留め具は、電線を支持体に留める用具である。前記電線留め具は、第１板部と、第２板部とを備える。前記第１板部および前記第２板部は、可撓性を有し板状に形成されている。前記第１板部は、第１基部および前記第１基部の両側に連なる一対の第１開口形成部を含む。前記第２板部は、第２基部および前記第２基部からその両側に張り出して形成された一対の張出部を含む。前記第１基部は、第１電線における前記支持体の第１面に沿う部分を覆う部分であるとともに、前記第１電線と第２電線との間を仕切る部分である。前記第２基部は、前記第２電線における前記第１基部に沿う部分を覆う部分である。前記第１開口形成部各々は、前記張出部各々が通される第１開口が形成された部分である。前記張出部各々は、前記第１開口および前記支持体に形成された一対の第２開口の各々に通される部分である。前記張出部各々には、抜け止め部が形成されている。前記抜け止め部は、前記支持体の第２面における前記第２開口各々の縁部に引っ掛かる部分である。
【０００９】
本発明の他の局面に係る画像読取装置は、イメージセンサーと、前記イメージセンサーの出力信号を伝送する第１電線と、前記第１電線とは異なる第２電線と、前記電線留め具と、を備える。
【００１０】
本発明の他の局面に係る画像形成装置は、前記画像読取装置と、画像形成部とを備える。前記画像形成部は、前記画像読取装置の前記イメージセンサーから出力される信号に基づく画像をシート材に形成する。
【発明の効果】
【００１１】
本発明によれば、複数の電線を間隔を隔てて支持体に留めることが容易であり、低コストの電線留め具およびそれを備える画像読取装置、並びに画像形成装置を提供することが可能になる。
【図面の簡単な説明】
【００１２】
【図１】図１は、第１実施形態に係る電線留め具を備える画像形成装置の構成図である。
【図２】図２は、第１実施形態に係る電線留め具の組立前の平面図である。
【図３】図３は、第１実施形態に係る電線留め具の斜視図である。
【図４】図４は、支持体における電線留め具が取り付けられる部分の斜視図である。
【図５】図５は、第１実施形態に係る電線留め具の使用状態の斜視図である。
【図６】図６は、第２実施形態に係る電線留め具の組立前の平面図である。
【図７】図７は、第２実施形態に係る電線留め具の斜視図である。
【図８】図８は、第２実施形態に係る電線留め具の使用状態の斜視図である。
【図９】図９は、第３実施形態に係る電線留め具の組立前の平面図である。
【図１０】図１０は、第３実施形態に係る電線留め具の斜視図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像形成装置１０の構成］
まず、図１を参照しつつ第１実施形態に係る電線留め具７を備える画像形成装置１０の構成について説明する。画像形成装置１０は、画像読取装置１を備え、画像読取装置１が電線留め具７を備える。
【００１５】
画像形成装置１０は、本体部２および画像読取装置１を備える。また、画像形成装置１０は、本体部２の各機器および画像読取装置１を制御する制御部８を備える。制御部８は、画像処理部８１を含む。
【００１６】
例えば、画像形成装置１０は、複写機、複写機の機能を有するプリンターもしくはファクシミリ、または画像読取機能を含む複数の画像処理機能を備える複合機などである。
【００１７】
＜画像読取装置１＞
画像読取装置１は、原稿走査ユニット１１および原稿台カバー１２を備える。原稿台カバー１２は、原稿走査ユニット１１に対して回動可能に支持されている。原稿走査ユニット１１は透明の原稿台１６を含み、原稿台カバー１２は、原稿台１６上を覆う。
【００１８】
原稿台１６は、画像の読み取り対象物である原稿９０が載置される部分である。一般に、原稿台１６はプラテンガラスと称される。
【００１９】
原稿走査ユニット１１は、さらにイメージセンサー１３および走査機構１１０などを備える。以下の説明において、原稿９０に沿う一の方向およびそれに直交する方向のことを、それぞれ主走査方向Ｄ１および副走査方向Ｄ２と称する。
【００２０】
イメージセンサー１３は、主走査方向Ｄ１に沿って延びて形成されている。イメージセンサー１３は、その他の電子部品とともに基板に実装されている。イメージセンサー１３が実装された前記基板が、イメージセンサーユニット１１１を構成している。
【００２１】
イメージセンサー１３は、原稿９０における主走査方向Ｄ１に沿う１ライン分の画像を読み取るとともに読み取り画像に対応する画像信号を出力する。
【００２２】
走査機構１１０は、イメージセンサーユニット１１１を原稿台１６に近接する位置で副走査方向Ｄ２に沿って往復移動させる機構である。
【００２３】
イメージセンサー１３は、副走査方向Ｄ２に沿って移動することにより、原稿台１６に載置された原稿９０の下面の画像を読み取るとともに読み取り画像の画像信号を出力する。
【００２４】
原稿台カバー１２には、ＡＤＦ１２０が組み込まれている。ＡＤＦ１２０は、原稿供給トレイ１２１、原稿送出機構１２２、原稿搬送機構１２３および原稿排出トレイ１２４を備える。
【００２５】
原稿送出機構１２２は、原稿供給トレイ１２１にセットされた原稿９０を１枚ずつ原稿搬送路Ｒ０へ送り出す。原稿搬送機構１２３は、原稿送出機構１２２から送り出された原稿９０を原稿搬送路Ｒ０に沿って搬送する。さらに、原稿搬送機構１２３は、原稿９０を原稿排出トレイ１２４へ排出する。
【００２６】
原稿搬送路Ｒ０は、透明なコンタクト部１６０に沿う固定読取位置Ｐ０を通る予め定められた経路に沿って形成されている。例えば、コンタクト部１６０は原稿台１６の一部である。
【００２７】
なお、原稿搬送路Ｒ０を移動中の原稿９０における副走査方向Ｄ２および主走査方向Ｄ１は、それぞれ原稿９０の移動方向およびその移動方向に直交する方向である。
【００２８】
走査機構１１０は、イメージセンサー１３を固定読取位置Ｐ０に対向する位置に保持することができる。ＡＤＦ１２０は、原稿台カバー１２が閉じられ、イメージセンサー１３が固定読取位置Ｐ０に対向する状態で動作する。
【００２９】
イメージセンサー１３は、固定読取位置Ｐ０において移動中の原稿９０の画像を読み取るとともに読み取り画像に対応する画像信号を出力する。
【００３０】
なお、画像読取装置１が、原稿搬送路Ｒ０に沿う位置に固定されたもう１つのイメージセンサー１３を備える場合もある。この場合、走査機構１１０が支持するイメージセンサー１３およびもう１つのイメージセンサー１３は、それぞれ原稿９０の一方の面およびその反対側の面の画像を読み取る。
【００３１】
図１が示す例において、イメージセンサー１３は、発光部とレンズと受光素子とを備えるＣＩＳ（Contact Image Sensor）である。なお、イメージセンサー１３がＣＣＤ（Charge Coupled Devices）であることも考えられる。この場合、走査機構１１０が、前記発光部およびミラーを副走査方向Ｄ２へ移動させる。さらに、固定された他のミラーおよびレンズが、原稿９０からの反射光をイメージセンサー１３の受光部へ導く。
【００３２】
イメージセンサーユニット１１１および制御部８の画像処理部８１は、第１電線７０１によって接続されている。第１電線７０１は、イメージセンサー１３の出力信号、即ち、前記画像信号を伝送する電線である。第１電線７０１は、フラットケーブルである。例えば、第１電線７０１が、シート状のＦＦＣであることが考えられる。
【００３３】
第１電線７０１の一部が、その他の第２電線７０２とともに電線留め具７によって支持体７００に留められている。例えば、第２電線７０２が、原稿台カバー１２が原稿台１６上を覆う閉状態であるか否かを検知するセンサーの信号線などであることが考えられる。
【００３４】
また、支持体７００が、画像読取装置１の金属フレームの一部の板状の部分であることが考えられる。後述するように、支持体７００における電線留め具７が取り付けられる部分には、電線留め具７の一部が挿入される開口が形成されている。その詳細については後述する。
【００３５】
＜画像形成装置１０の本体部＞
画像形成装置１０の本体部２は、画像読取装置１から出力される画像信号に基づく画像をシート材９に形成するための機器を含む。シート材９は、紙、コート紙、ハガキ、封筒、およびＯＨＰシートなどのシート状の画像形成媒体である。
【００３６】
画像形成装置１０の本体部２は、シート供給部３０、シート搬送部３、画像形成部４、光走査部５および定着部６などを備える。図１が示す画像形成装置１０は、電子写真方式の画像形成装置である。なお、画像形成装置１０がインクジェット方式などの他の方式の画像形成装置であることも考えられる。
【００３７】
シート供給部３０は、複数のシート材９が重ねて載置される部分である。シート搬送部３は、シート送出機構３１およびシート搬送機構３２を備える。
【００３８】
シート送出機構３１は、シート材９をシート供給部３０からシート搬送路３００へ向けて送り出す。シート搬送機構３２は、シート材９をシート搬送路３００に沿って搬送する。
【００３９】
画像形成部４は、ドラム状の感光体４１、帯電装置４２、現像装置４３、転写装置４５およびクリーニング装置４７などを備える。感光体４１は、現像剤の像を担持する像担持体の一例である。
【００４０】
感光体４１が回転し、帯電装置４２が感光体４１の表面を一様に帯電させる。さらに、光走査部５がレーザー光を走査することにより帯電した感光体４１の表面に静電潜像を書き込む。さらに、現像装置４３が感光体４１に前記現像剤を供給することにより、前記静電潜像を前記現像剤の像へ現像する。
【００４１】
さらに、転写装置４５が、シート搬送路３００を移動中のシート材９に、感光体４１表面の前記現像剤の像を転写する。また、クリーニング装置４７が感光体４１表面に残存する前記現像剤を除去する。
【００４２】
定着部６は、加熱ローラー６１と加圧ローラー６２との間に画像が形成されたシート材９を挟み込みつつ後工程へ送り出す。これにより、定着部６は、シート材９上の前記現像剤を加熱し、シート材９上に画像を定着させる。
【００４３】
制御部８は、不図示の操作部を通じて入力される入力情報および各種センサーの検出結果に基づいて、画像形成装置１０が備える各種の電気機器を制御する。さらに、制御部８は、イメージセンサー１３から出力されるアナログの画像信号に対する各種の信号処理も実行する。
【００４４】
例えば、制御部８において、画像処理部８１が、アナログの前記画像信号をデジタルデータへ変換する処理、およびデジタル画像データに対するシェーディング補正処理などを実行する。
【００４５】
画像処理部８１は、イメージセンサー１３の出力信号を処理し、画像形成用の画像データを画像形成部４に供給する。これにより、画像形成部４は、イメージセンサー１３から出力される前記画像信号に基づく画像をシート材９に形成する。
【００４６】
前述したように、画像読取装置１は、イメージセンサー１３の出力信号を伝送する画像伝送用の第１電線７０１を備える。本実施形態において、第１電線７０１として、ＦＦＣなどのフラットケーブルが採用される。
【００４７】
第１電線７０１が、やむを得ず他の電線と並んで配線される場合がある。本実施形態では、第１電線７０１および第２電線７０２が並んで配線される。イメージセンサー１３から出力される前記画像信号は高周波信号である。そのため、前記画像信号は、他の電線からのノイズの影響を受けやすい。従って、第１電線７０１は、第２電線７０２と間隔を隔てて配線される必要がある。
【００４８】
一方、画像読取装置１において、取り付けが容易で低コストの電線留め具７が求められている。
【００４９】
本実施形態における電線留め具７は、第１電線７０１および第２電線７０２を間隔を隔てて支持体７００に留めることを容易にする。さらに、電線留め具７は低コストで提供できる。以下、電線留め具７の詳細について説明する。
【００５０】
［第１実施形態：電線留め具７］
以下、図２〜５を参照しつつ、電線留め具７について説明する。電線留め具７は、電線を支持体７００に留める用具である。以下の説明において、支持体７００における電線留め具７が取り付けられる側の面のことを第１面７００１と称し、その反対側の面のことを第２面７００２と称する（図４を参照）。
【００５１】
電線留め具７は、可撓性を有する板状の部材である。例えば、電線留め具７が、板状の母材に対する打ち抜き加工によって得られた部材であることが考えられる。また、電線留め具７が、例えばポリプロピレン、ポリエチレン、ポリ塩化ビニル、ポリブチレンテレフタレートまたはポリアミドなどの合成樹脂の部材であることが考えられる。
【００５２】
図２，３が示すように、電線留め具７は、第１板部７１と、第２板部７２とを備える。第１板部７１および第２板部７２は、可撓性を有し板状に形成されている。なお、図３において、第１電線７０１および第２電線７０２が仮想線で描かれている。なお、２点鎖線が前記仮想線である。
【００５３】
第１板部７１は、第１基部７１１および一対の開口形成部７１２を含む。一対の開口形成部７１２は、第１基部７１１の両側に連なる部分である。なお、一対の開口形成部７１２は、第１開口形成部の一例である。
【００５４】
第２板部７２は、第２基部７２１および一対の張出部７２２を含む。一対の張出部７２２は、第２基部７２１からその両側に張り出して形成された部分である。
【００５５】
第１基部７１１は、第１電線７０１における支持体７００の第１面７００１に沿う部分を覆う部分である。さらに、第１基部７１１は、第１電線７０１と第２電線７０２との間を仕切る部分でもある。
【００５６】
第２基部７２１は、第２電線７０２における第１基部７１１に沿う部分を覆う部分である。図３，４が示すように、第２基部７２１は、湾曲した状態で、第１基部７１１との間に第２電線７０２の通路を形成している。
【００５７】
開口形成部７１２各々は、張出部７２２各々が通される第１開口７１２０が形成された部分である。本実施形態において、一方の第１開口７１２０は、一方の張出部７２２の打ち抜き加工によって形成された孔である。
【００５８】
図４が示すように、支持体７００における電線留め具７が取り付けられる部分には、一対の第２開口７０３が形成されている。第２開口７０３は、電線留め具７が取り付けられる取付孔である。
【００５９】
張出部７２２各々は、第１開口７１２０各々および支持体７００の第２開口７０３の各々に通される部分である。張出部７２２各々が、第１開口７１２０各々および第２開口７０３各々に挿入されることにより、第２基部７２１が撓む。これにより、第２基部７２１がアーチ状に湾曲し、第１基部７１１と第２基部７２１との間に第２電線７０２の通路が形成される。
【００６０】
張出部７２２各々には、抜け止め部７２２１が形成されている。抜け止め部７２２１は、支持体７００の第２面７００２における第２開口７０３各々の縁部に引っ掛かる部分である。抜け止め部７２２１は、張出部７２２における第２基部７２１に繋がる根本部７２２０よりも大きな幅で形成されている。
【００６１】
一方、支持体７００の第２開口７０３各々は、内側開口部７０４と外側開口部７０５とを含む。内側開口部７０４は、一方の第２開口７０３における他方の第２開口７０３に近い側の部分である。内側開口部７０４は、一方の第２開口７０３における他方の第２開口７０３から遠い側の部分である。
【００６２】
内側開口部７０４は、そこに挿入される張出部７２２における抜け止め部７２２１の幅よりも大きな幅で形成されている。外側開口部７０５各々は、そこに挿入される張出部７２２における根本部７２２０の幅よりも大きく、かつ、抜け止め部７２２１の幅よりも小さな幅で形成されている。
【００６３】
張出部７２２が第２開口７０３に挿入される際、まず、先端側の抜け止め部７２２１が内側開口部７０４に挿入される。張出部７２２は、根本部７２２０まで内側開口部７０４に挿入される。その後、湾曲した第２基部７２１の弾性力が、一対の張出部７２２各々の根本部７２２０を外側開口部７０５へ移行させる。また、張出部７２２各々の根本部７２２０は、第２基部７２１の弾性力により、外側開口部７０５を貫通する状態に保持される。
【００６４】
根本部７２２０が外側開口部７０５を貫通する状態になると、抜け止め部７２２１が、支持体７００の第２面７００２における外側開口部７０５の縁部に引っ掛かる。これにより、電線留め具７が支持体７００に留まる。
【００６５】
また、図５が示すように、第１電線７０１の一部が、支持体７００の第１面７００１と第１基部７１１における支持体７００側の面との間に挟み込まれる。また、第２電線７０２の一部が、第１基部７１１における支持体７００側の反対側の面と第２基部７２１との間に保持される。
【００６６】
従って、第１基部７１１が、第１電線７０１と第２電線７０２との間隔を隔てる仕切板として機能する。電線留め具７が採用されれば、容易な作業により、第１電線７０１および第２電線７０２を間隔を隔てて支持体７００に留めることが可能である。これにより、第１電線７０１が伝送する前記画像信号が、第２電線７０２からのノイズの影響を受けにくい。
【００６７】
また、電線留め具７は、板状の母材に対する打ち抜き加工などにより、低コストで製造可能な簡易な構成を有している。
【００６８】
また、電線留め具７において、第１板部７１および第２板部７２は、連結部７１０を介して繋がって形成されている。図３が示すように、連結部７１０は、折り返される部分である。なお、連結部７１０は第１連結部の一例である。
【００６９】
電線留め具７は、連結部７１０を有することによって１枚の板状の部材として形成されている。このような電線留め具７は、運搬および取り付けなどにおいて、取り扱いが容易である。
【００７０】
［第２実施形態：電線留め具７Ａ］
次に、図６〜８を参照しつつ、第２実施形態に係る電線留め具７Ａについて説明する。電線留め具７Ａは、電線留め具７の応用例である。以下、電線留め具７Ａにおける電線留め具７と異なる点について説明する。
【００７１】
図６は、電線留め具７Ａの組立前の平面図である。図７は、電線留め具７Ａの斜視図である。図８は、電線留め具７Ａの使用状態の斜視図である。
【００７２】
図６，７が示すように、電線留め具７Ａは、電線留め具７に第３板部７３が追加された構成を備える。第３板部７３は、板状に形成された部分である。本実施形態において、第３板部７３も、第１板部７１および第２板部７２と同様に可撓性を有する。
【００７３】
第３板部７３は、第３基部７３１および一対の第３開口形成部７３２を含む。一対の第３開口形成部７３２は、第３基部７３１の両側に連なる部分である。
【００７４】
図８が示すように、第３基部７３１は、第１電線７０１における第１基部７１１で覆われる部分と支持体７００との間を仕切る部分である。即ち、第１電線７０１が第３基部７３１と第１基部７１１との間に配線され、第２電線７０２が、第１基部７１１と第２基部７２１との間に配線される。
【００７５】
第３開口形成部７３２各々は、張出部７２２各々が通される第３開口７３２０が形成された部分である。電線留め具７Ａにおいて、張出部７２２各々は、第１開口７１２０各々と、第３開口７３２０各々と、第２開口７０３各々とに通される。
【００７６】
電線留め具７Ａが画像読取装置１に採用される場合も、電線留め具７が採用される場合と同様の効果が得られる。さらに、電線留め具７Ａが採用される場合、第３基部７３１が支持体７００の第１面７００１と第１電線７０１との間を仕切る。これにより、支持体７００が導体である場合でも、第１電線７０１が伝送する前記画像信号が、支持体７００からのノイズの影響を受けにくい。さらに、第１電線７０１が、硬い支持体７００と接触することによる摩耗から保護される。
【００７７】
また、電線留め具７Ａにおいて、第１板部７１および第３板部７３が、連結部７２０を介して繋がって形成されている、図７，８が示すように、連結部７２０は、折り返される部分である。図６において、連結部７１０における谷折りにされる折り目が破線で示されており、連結部７２０における山折りにされる折り目が一点鎖線で示されている。なお、連結部７２０は第２連結部の一例である。
【００７８】
電線留め具７Ａは、連結部７１０および連結部７２０を有することによって１枚の板状の部材として形成されている。このような電線留め具７Ａは、運搬および取り付けなどにおいて、取り扱いが容易である。
【００７９】
［第３実施形態：電線留め具７Ｂ］
次に、図９，１０を参照しつつ、第３実施形態に係る電線留め具７Ｂについて説明する。電線留め具７Ｂは、電線留め具７Ａの応用例である。以下、電線留め具７Ｂにおける電線留め具７Ａと異なる点について説明する。
【００８０】
図９は、電線留め具７Ｂの組立前の平面図である。図８は、電線留め具７Ｂの斜視図である。
【００８１】
図９，１０が示すように、電線留め具７Ｂは、電線留め具７Ａに２つめの第１板部７１が追加された構成を備える。電線留め具７Ｂの使用時に、２つの第１板部７１は重ねられる。即ち、電線留め具７Ｂは、重ねられる２つの第１板部７１を備える。
【００８２】
電線留め具７Ｂは、電線留め具７Ａにおける第１板部７１と第３板部７３との間にもう１つの第１板部７１が追加された構成を有している。
【００８３】
電線留め具７Ｂにおいて、第３基部７３１が支持体７００の第１面７００１と第１電線７０１との間を仕切る。さらに、２重の第１板部７１が、第１電線７０１と第２電線７０２との間を仕切る。
【００８４】
電線留め具７Ｂが画像読取装置１に採用される場合も、電線留め具７Ａが採用される場合と同様の効果が得られる。さらに、第１板部７１単体の厚みを変えることなく、第１電線７０１と第２電線７０２との間隔をより広げることができる。なお、第１電線７０１と第２電線７０２との間の必要な間隔に応じて、電線留め具７Ｂが、３つ以上の第１板部７１を備えることも考えられる。
【００８５】
また、電線留め具７Ｂにおいて、２つの第１板部７１が、連結部７３０を介して繋がって形成されている、図１０が示すように、連結部７３０は、折り返される部分である。図９において、連結部７１０，７２０における谷折りにされる折り目が破線で示されており、連結部７３０における山折りにされる折り目が一点鎖線で示されている。なお、連結部７３０は第３連結部の一例である。
【００８６】
電線留め具７Ｂは、連結部７１０，７２０，７３０を有することによって１枚の板状の部材として形成されている。このような電線留め具７Ｂは、運搬および取り付けなどにおいて、取り扱いが容易である。
【００８７】
なお、図９，１０が示す例において、第１板部７１における第３板部７３に繋がる側に位置する第１開口７１２０と、第３板部７３における第１板部７１に繋がる側に位置する第３開口７３２０とが、繋がっている。しかしながら、それら第１開口７１２０と第３開口７３２０との間に連結部７２０が形成されていることも考えられる。
【００８８】
[応用例]
以上に示された電線留め具７Ａ，７Ｂが、複数の第３板部７３を備えることも考えられる。この場合、第３板部７３単体の厚みを変えることなく、第１電線７０１と支持体７００との間隔をより広げることができる。
【００８９】
また、電線留め具７，７Ａ，７Ｂにおいて、第１板部７１および第２板部７２が独立した部材であること、即ち、電線留め具７，７Ａ，７Ｂが連結部７１０を備えないことも考えられる。同様に、電線留め具７Ａ，７Ｂにおいて、第１板部７１および第３板部７３が独立した部材であること、即ち、電線留め具７Ａ，７Ｂが連結部７２０を備えないことも考えられる。同様に、電線留め具７Ｂにおいて、複数の第１板部７１が独立した部材であること、即ち、電線留め具７Ｂが連結部７３０を備えないことも考えられる。
【００９０】
なお、本発明に係る電線留め具、画像読取装置および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００９１】
１        ：画像読取装置
２        ：本体部
３        ：シート搬送部
４        ：画像形成部
５        ：光走査部
６        ：定着部
７，７Ａ，７Ｂ：電線留め具
８        ：制御部
９        ：シート材
１０      ：画像形成装置
１１      ：原稿走査ユニット
１２      ：原稿台カバー
１３      ：イメージセンサー
１６      ：原稿台
３０      ：シート供給部
３１      ：シート送出機構
３２      ：シート搬送機構
４１      ：感光体
４２      ：帯電装置
４３      ：現像装置
４５      ：転写装置
４７      ：クリーニング装置
６１      ：加熱ローラー
６２      ：加圧ローラー
７１      ：第１板部
７２      ：第２板部
７３      ：第３板部
８１      ：画像処理部
９０      ：原稿
１１０    ：走査機構
１１１    ：イメージセンサーユニット
１２１    ：原稿供給トレイ
１２２    ：原稿送出機構
１２３    ：原稿搬送機構
１２４    ：原稿排出トレイ
１６０    ：コンタクト部
３００    ：シート搬送路
７００    ：支持体
７０１    ：第１電線
７０２    ：第２電線
７０３    ：第２開口
７０４    ：内側開口部
７０５    ：外側開口部
７１０    ：連結部
７１１    ：第１基部
７１２    ：開口形成部
７２０    ：連結部
７２１    ：第２基部
７２２    ：張出部
７３０    ：連結部
７３１    ：第３基部
７３２    ：第３開口形成部
７００１  ：第１面
７００２  ：第２面
７１２０  ：第１開口
７２２０  ：根本部
７２２１  ：抜け止め部
７３２０  ：第３開口
【図１】
0006314929.tif 000002
【図２】
0006314929.tif 000003
【図３】
0006314929.tif 000004
【図４】
0006314929.tif 000005
【図５】
0006314929.tif 000006
【図６】
0006314929.tif 000007
【図７】
0006314929.tif 000008
【図８】
0006314929.tif 000009
【図９】
0006314929.tif 000010
【図１０】
0006314929.tif 000011